(57)【要約】      （修正有）【課題】皮革を用いることによって高級感があり、しかも利便性の高い買い物バッグを提供する。【解決手段】買い物バッグ１は、皮革で構成され、底面部及び側面部２１を有し、上端に開口部を有するアウターバッグ２と、洗濯可能な布地で構成され、底面部及び側面部を有し、上端に開口部を有するインナーバッグ３と、アウターバッグ２内にインナーバッグ３が収容された状態で、アウターバッグ２とインナーバッグ３とを連結するための線ファスナー４とを備え、アウターバッグ２の側面部２１ａの上端には、アウターバッグ２の内側下方に折り返される折り返し部２３が設けられており、当該折り返し部２３の先端とインナーバッグ３の側面部の上端とが線ファスナー４によって連結されている。【選択図】図１
0003227531.tif 000002
【実用新案登録請求の範囲】
【請求項１】
皮革で構成され、底面部及び側面部を有し、上端に開口部を有するアウターバッグと、
洗濯可能な布地で構成され、底面部及び側面部を有し、上端に開口部を有するインナーバッグと、
前記アウターバッグ内に前記インナーバッグが収容された状態で、前記アウターバッグと前記インナーバッグとを連結するための線ファスナーと
を備え、
前記アウターバッグの前記側面部の上端には、前記アウターバッグの内側下方に折り返される折り返し部が設けられており、当該折り返し部の先端と前記インナーバッグの前記側面部の上端とが前記線ファスナーによって連結されている、
買い物バッグ。
【請求項２】
前記折り返し部の長さは、前記アウターバッグの前記底面部から前記側面部の上端までの長さの１／３より小さい、
請求項１に記載の買い物バッグ。
【請求項３】
前記折り返し部の長さは、前記アウターバッグの前記底面部から前記側面部の上端までの長さの１／８より大きい、
請求項１又は２に記載の買い物バッグ。
【請求項４】
前記線ファスナーが、一対のエレメント列及び当該エレメント列を噛合及び分離させるスライダーを有しており、当該エレメント列は、前記折り返し部の前記先端及び前記インナーバッグの前記側面部の前記上端の略全周にわたって設けられ、当該エレメント列の両端部は、前記アウターバッグの前記側面部の幅方向中央部に配置される、
請求項１乃至３の何れかに記載の買い物バッグ。
【考案の詳細な説明】
【技術分野】
【０００１】
本考案は、皮革を用いた買い物バッグに関する。
【背景技術】
【０００２】
近年、主に環境保護の観点から、買い物の際に店舗から提供されるいわゆるレジ袋を利用せず、持参した買い物バッグを使用する人が増えている。このような買い物バッグの場合、レジ袋とは異なり繰り返し使用することが前提となるため、洗濯可能であることが望ましい。特許文献１乃至３には、洗濯可能な布地で構成された買い物バッグが開示されている。
【先行技術文献】
【特許文献】
【０００３】
【特許文献１】特開２００８−０２３３０５号公報
【特許文献２】特開２００９−０９００６３号公報
【特許文献３】実用新案登録第３１６１６１２号公報
【考案の概要】
【考案が解決しようとする課題】
【０００４】
しかしながら、洗濯可能な布地の場合、皮革と比べると高級感に欠ける印象を与えるという問題がある。他方、皮革を用いた場合では、高級感は得られるものの、洗濯することができず、利便性が損なわれるという問題がある。
【０００５】
本考案は、かかる事情に鑑みてなされたものであり、皮革及び洗濯可能な生地の両方を用いることによって、上述した課題を解決することができる買い物バッグを提供することを目的とする。
【課題を解決するための手段】
【０００６】
上述した課題を解決するために、本考案の一の態様の買い物バッグは、皮革で構成され、底面部及び側面部を有し、上端に開口部を有するアウターバッグと、洗濯可能な布地で構成され、底面部及び側面部を有し、上端に開口部を有するインナーバッグと、前記アウターバッグ内に前記インナーバッグが収容された状態で、前記アウターバッグと前記インナーバッグとを連結するための線ファスナーとを備え、前記アウターバッグの前記側面部の上端には、前記アウターバッグの内側下方に折り返される折り返し部が設けられており、当該折り返し部の先端と前記インナーバッグの前記側面部の上端とが前記線ファスナーによって連結されている。
【０００７】
上記態様において、前記折り返し部の長さは、前記アウターバッグの前記底面部から前記側面部の上端までの長さの１／３より小さいことが好ましい。
【０００８】
また、上記態様において、前記折り返し部の長さは、前記アウターバッグの前記底面部から前記側面部の上端までの長さの１／８より大きいことが好ましい。
【０００９】
さらに、上記態様において、前記線ファスナーが、一対のエレメント列及び当該エレメント列を噛合及び分離させるスライダーを有しており、当該エレメント列は、前記折り返し部の前記先端及び前記インナーバッグの前記側面部の前記上端の略全周にわたって設けられ、当該エレメント列の両端部は、前記アウターバッグの前記側面部の幅方向中央部に配置されていてもよい。
【考案の効果】
【００１０】
本考案によれば、従来に比して高級感があり且つ利便性の高い買い物バッグを実現することができる。
【図面の簡単な説明】
【００１１】
【図１】実施の形態の買い物バッグの構成を示す斜視図。
【図２】アウターバッグの構成を示す斜視図。
【図３Ａ】アウターバッグの構成を模式的に示す平面図。
【図３Ｂ】アウターバッグの構成を模式的に示す側面図。
【図４】アウターバッグが備える折り返し部の構成を示す斜視図。
【図５】インナーバッグの構成を示す斜視図。
【図６】折り返し部及びインナーバッグが連結された状態を示す斜視図。
【考案を実施するための形態】
【００１２】
以下、本考案の好ましい実施の形態について、図面を参照しながら説明する。なお、以下に示す各実施の形態は、本考案の技術的思想を具体化するための買い物バッグを例示するものであって、本考案の技術的思想は下記のものに限定されるわけではない。本考案の技術的思想は、実用新案登録請求の範囲に記載された技術的範囲内において種々の変更を加えることができる。
【００１３】
図１は、本実施の形態の買い物バッグの構成を示す斜視図である。図１に示すとおり、買い物バッグ１は、上端に開口部を有する直方体状のアウターバッグ２及びインナーバッグ３を備えている。インナーバッグ３は、アウターバッグ２内に収容されて使用される。アウターバッグ２及びインナーバッグ３は、線ファスナー４によって着脱自在に連結される。その連結構造の詳細については後述する。
【００１４】
アウターバッグ２は、所定の形状に裁断された複数の天然皮革又は人工皮革を縫合して得られる。他方、インナーバッグ３は、所定の形状に裁断された洗濯可能な布地を縫合して得られる。この布地としては、例えば、ナイロン、ポリエステル、レーヨン、アクリル等の合成繊維、綿等の天然繊維、又はこれらの混紡繊維を織って形成したものを用いることができる。
【００１５】
図２は、アウターバッグ２の構成を示す斜視図である。また、図３Ａ及び図３Ｂはそれぞれ、アウターバッグ２の構成を模試的に示す平面図及び側面図である。図１も参照しながら説明すると、アウターバッグ２は、側面部２１及び底面部２２を備え、上端に開口部を備えている。側面部２１は、対向する２つの長辺側面部２１ａ，２１ａ及び短辺側面部２１ｂ，２１ｂで構成されている。
【００１６】
側面部２１の上端２１１には、アウターバッグ２の内側下方に折り返される折り返し部２３が取り付けられている。この折り返し部２３は、いわゆる身付けに相当する。図４は、折り返し部２３のみを示した斜視図である。図４に示すとおり、折り返し部２３は、四角形の角筒状をなしている。
【００１７】
アウターバッグ２の内側に位置する折り返し部２３の先端（下端）には、線ファスナー４の一方のエレメント列４ａが略全周にわたって設けられている。このエレメント列４ａの両端部は、一方の長辺側面部２１ａの幅方向中央部に配置される。また、このエレメント列４ａには、インナーバッグ３側の他方のエレメント列４ｂとエレメント列４ａとを噛合及び分離させるスライダー４ｃが取り付けられている。
【００１８】
図３Ｂに示すとおり、折り返し部２３の長さｈ１は、側面部２１の長さ（底面部２２から側面部２１の上端２１Ａまでの長さ）ｈ２よりも小さくなっている。この長さｈ１は、長さｈ２の１／３より小さく、且つ１／８より大きいことが好ましい。この点については後述する。
【００１９】
２つの長辺側面部２１ａ，２１ａのそれぞれの上端２１１には、一対の取っ手２４，２４が対向する位置に設けられている。なお、図３Ａ及び図３Ｂではこれらの取っ手２４，２４の図示が省略されている。
【００２０】
図５は、インナーバッグ３の構成を示す斜視図である。上述したとおり、インナーバッグ３は、上端に開口部を有する直方体状をなしており、側面部３１及び図示しない底面部を備えている。側面部３１は、対向する２つの長辺側面部３１ａ，３１ａ及び短辺側面部３１ｂ，３１ｂで構成されている。
【００２１】
側面部３１の上端には、線ファスナー４のエレメント列４ｂが略全周にわたって設けられている。このエレメント列４ｂの両端部は、一方の長辺側面部３１ａの幅方向中央部に配置される。そのため、アウターバッグ２及びインナーバッグ３が連結された場合、エレメント列４ｂの両端部は、アウターバッグ２の長辺側面部２１ａの幅方向中央部に配置されることになる。
【００２２】
図６は、折り返し部２３及びインナーバッグ３が連結された状態を示す斜視図である。この図６において、折り返し部２３以外のアウターバッグ２の構成要素の図示は省略されている。アウターバッグ２とインナーバッグ３とを連結する場合、使用者はまずインナーバッグ３をアウターバッグ２内に収容し、インナーバッグ３の側面部３１の上端に設けられたエレメント列４ｂの一端部をスライダー４ｃに挿入する。その後、スライダー４ｃをエレメント列４ａ及び４ｂに沿って摺動させる。これにより、図６に示すとおり、折り返し部２３の先端に設けられたエレメント列４ａとインナーバッグ３の側面部３１の上端に設けられたエレメント列４ｂとが噛み合わせられた状態となり、アウターバッグ２とインナーバッグ３との連結が完了する。
【００２３】
買い物バッグ１は、上述したようにして線ファスナー４によってアウターバッグ２及びインナーバッグ３が連結された状態で使用される。アウターバッグ２は皮革で構成されているため、買い物バッグ１の外観は高級感を有している。他方、インナーバッグ３は布地で構成されているため、高級感には欠けるものの、買い物バッグ１の使用状態においては外方から視認されにくいため、特段の問題は生じない。この布地は洗濯可能であるため、インナーバッグ３内に収納された購入物品による汚れなどが生じたとしても、インナーバッグ３をアウターバック２から取り外した上で洗濯することができ、清潔に保つことができる。
【００２４】
インナーバッグ３は布地で構成されているため、上記のとおり高級感に欠ける印象を与えるという欠点があり、可能な限り外方から視認されにくい方が望ましい。折り返し部２３の長さｈ１がアウターバッグ２の側面部２１の長さｈ２の１／１０以下の場合、アウターバッグ２の開口部を狭くした状態であってもインナーバッグ３が外方から容易に視認可能となってしまう。また、アウターバッグ２の開口部を広げた状態では、折り返し部２３の長さｈ１がアウターバッグ２の側面部２１の長さｈ２の１／８以下であっても、インナーバッグ３が外方から容易に視認可能となる。そのため、折り返し部の長さｈ１は、側面部２１の長さｈ２の１／１０より大きいことが好ましく、１／８より大きいことがより好ましい。
【００２５】
また、買い物で購入した物品による汚れがアウターバッグ２に付着すると、アウターバッグ２は洗濯することができないため不都合である。そのため、購入物品はインナーバッグ３内に収まることが望ましい。折り返し部２３の長さｈ１がアウターバッグ２の側面部２１の長さｈ２の１／３以上になると、その分インナーバッグ３の側面部３１の長さが小さくなり、その結果購入物品の収納に適した領域の容量が小さくなってしまうという問題が生じる。収納に適した領域の容量を十分に確保するために、折り返し部の長さｈ１は、側面部２１の長さｈ２の１／３より小さいことが好ましい。
【００２６】
また、本実施の形態の場合、アウターバッグ２及びインナーバッグ３が線ファスナー４で連結されており、面ファスナー等の他の固定部材で連結する場合と比べて、連結状態をより強固に維持することができる。そのため、買い物バッグ１の使用中にインナーバッグ３がアウターバッグ２から誤って取り外されるようなことはない。
【００２７】
線ファスナー４のエレメント列４ａ，４ｂはそれぞれ、折り返し部２３の先端及びインナーバッグ３の側面部３１の上端の略全周にわたって設けられており、それらの両端部は、アウターバッグ２の長辺側面部２１ａ側に位置している。この構成の場合、エレメント列４ａ，４ｂの各端部の少なくとも一つが短辺側面部２１ｂ側に位置する場合と比べて、スライダー４ｃの挿脱操作などが容易になるというメリットがある。
【００２８】
また、本実施の形態の場合、エレメント列４ａ，４ｂの両端部がアウターバッグ２の長辺側面部２１ａの幅方向中央部に位置しているため、アウターバッグ２及びインナーバッグ３が連結されている状態ではスライダー４ｃが当該幅方向中央部から僅かにずれた箇所に位置することになる。そのため、長辺側面部２１ａの幅方向の長さが半分になるように買い物バッグ１を折り畳んだり、さらにその半分になるように折り畳んだりする場合に、スライダー４ｃがその妨げになることを防止することができる。
【００２９】
なお、皮革は布地と比べて丈夫であるため、アウターバッグ２は長年の使用に耐えることができる。その一方で、布地は皮革と比べると耐久性が低いため、インナーバッグ３はアウターバッグ２よりも早く使用困難な状態になり得る。本実施の形態では、インナーバッグ３が劣化して使用できなくなった場合、そのインナーバッグ３を新しいものに交換した上でアウターバッグ２と連結して使用することができるため、買い物バッグ１を長期にわたって使用することが可能になる。この点を踏まえると、本実施の形態の買い物バッグ１は、布地のみで構成された従来の買い物バッグと比べてより環境に優しいものであるといえる。
【００３０】
また、異なる色及び柄、並びに機能（ポケット付きなど）の複数のインナーバッグ３を使い分けることも可能であり、使用用途・場面に合わせたインナーバッグ３をアウターバッグ２に連結して使用することができる。
【００３１】
（その他の実施の形態）
上記の実施の形態では、一つの線ファスナー４によってアウターバッグ２及びインナーバッグ３を連結しているが、複数の線ファスナーによって連結したり、面ファスナーなどを併用して連結したりしてもよい。但し、連結作業が煩雑になるなどのデメリットがあるため、上記の実施の形態のように一つの線ファスナー４を用いる構成が好ましい。
【産業上の利用可能性】
【００３２】
本考案の買い物バッグは、スーパーマーケット等の店舗での購入品を収納する買い物バッグとして有用である。
【符号の説明】
【００３３】
１    買い物バッグ
２    アウターバッグ
２１  側面部
２１ａ  長辺側面部
２１ｂ  短辺側面部
２１１  上端
２２  底面部
２３  折返し部
２４  取っ手
３    インナーバッグ
３１  側面部
３１ａ  長辺側面部
３１ｂ  短辺側面部
４    線ファスナー
４ａ，４ｂ  エレメント列
４ｃ  スライダー
【図１】
0003227531.tif 000003
【図２】
0003227531.tif 000004
【図３Ａ】
0003227531.tif 000005
【図３Ｂ】
0003227531.tif 000006
【図４】
0003227531.tif 000007
【図５】
0003227531.tif 000008
【図６】
0003227531.tif 000009